(57)【特許請求の範囲】
【請求項１】
一端が閉じられた筒状の容器本体と、該容器本体の他端に形成され、該容器本体に封入された内容物を排出する排出口を有する筒状の突出部とからなる一対のチューブ容器を備え、各チューブ容器夫々封入された内容物を同時に排出可能な２剤式チューブ容器であって、
前記各チューブ容器を、前記容器本体及び前記突出部の断面が半円形状となるよう形成することにより、各チューブ容器の外壁に扁平面を形成し、更に、
前記内容物を封入し、一端が閉じられた状態の前記各チューブ容器を扁平面同士が接触するように接合固定する固定手段と、
前記各チューブ容器を前記容器本体の閉じられた側より同時に挿入可能で、且つ、前記各チューブ容器から内容物を絞り出しつつ各容器本体に沿って摺動可能な開口を有する環状部材と、
を備え、
前記固定手段は、前記両チューブ容器の突出部を同時に嵌入可能な筒状の嵌合部材からなることを特徴とする２剤式チューブ容器。
【請求項２】
前記各チューブ容器には、混合することにより染毛剤として機能する染毛剤第１剤と染毛剤第２剤とが各々封入されていることを特徴とする請求項１記載の２剤式チューブ容器。
【請求項３】
一端が閉じられた筒状の容器本体と、該容器本体の他端に形成され、該容器本体に封入された内容物を排出する排出口を有する筒状の突出部とからなる一対のチューブ容器を備え、各チューブ容器夫々封入された内容物を同時に排出可能な２剤式チューブ容器であって、
前記各チューブ容器を、前記容器本体及び前記突出部の断面が半円形状となるよう形成することにより、各チューブ容器の外壁に扁平面を形成し、更に、
前記内容物を封入し、一端が閉じられた状態の前記各チューブ容器を扁平面同士が接触するように接合固定する固定手段と、
前記各チューブ容器を前記容器本体の閉じられた側より同時に挿入可能で、且つ、前記各チューブ容器から内容物を絞り出しつつ各容器本体に沿って摺動可能な開口を有する環状部材と、
を備え、
前記各チューブ容器には、混合することにより染毛剤として機能する染毛剤第１剤と染毛剤第２剤とが各々封入されており、
前記一対のチューブ容器の内の一方は、基材がアルミニウムからなり、その内側に、エポキシフェノール樹脂、エポキシユリア樹脂、エポキシアミノ樹脂、あるいはエポキシアミン樹脂のいずれかで、シングルコート、ダブルコート、あるいはトリプルコートするか、または、ポリエチレンテレフタレート、アルミニウム、ポリエチレンを積層するか、または、ポリエチレン、ナイロン、ポリエチレンを積層した容器本体を備え、
他方のチューブ容器は、ポリエチレン、エチレン・酢酸ビニル共重合体けん化物、ポリエチレンを積層して形成された容器本体、または、ポリエチレンで形成された容器本体、または、アルミニウムで形成され、内部に、高密度ポリエチレン、低密度ポリエチレン、直鎖状低密度ポリエチレン、エチレン・酢酸ビニル共重合体けん化物、ポリアクリルニトリル、ポリエチレンテレフタレート、ポリプロピレン、ビニール、あるいはナイロンにて形成された内袋を有する容器本体、を備えることを特徴とする２剤式チューブ容器。
【発明の詳細な説明】
【０００１】
【発明の属する技術分野】
本発明は異なる内容物を別個に収容し、使用時には同量ずつ排出できる２剤式チューブ容器に関するものである。
【０００２】
【従来の技術】
従来から、複数の粘性物を混合することで効果を発揮する薬剤、接着剤、毛髪化粧料などが知られている。そのような毛髪化粧料としては、例えば、第１剤及び第２剤を混合させることで染毛効果を得る２剤式染毛剤が知られている。
【０００３】
２剤式染毛剤には、例えば、第１剤が酸化染料及びアルカリ剤を含むアルカリ性であり、第２剤が過酸化水素を含む酸性である場合がある。このような場合には、第１剤と第２剤との液性の違いから、収容する容器は、夫々の液性に対する耐腐食性が必要であり、従来は第１剤と第２剤を素材の異なる別個の容器に分けて保存していた。
【０００４】
【発明が解決しようとする課題】
ところで、このような染毛剤を使用するに当たっては、良好な染毛効果を得るために各々のチューブ容器から第１剤と第２剤とを等しく出すことが望ましい。ところが、チューブ容器は、その内容物を出す際に加える力の加減の微妙な違いで、出てくる内容物の量が異なってしまう。従って、各々別のチューブ容器に封入された第１剤と第２剤とを等しい量だけ出すのは難しい。また、第１剤と第２剤との分量が等しくなるように出そうとしている内に、つい必要以上に出してしまうことも往々にしてある。
【０００５】
このように、２剤を等しい分量だけ混合することで良好な効果を発揮する染毛剤においては、別個のチューブ容器から等しい分量を取り出すのは難しかった。
このような問題を解決するものとして、実公昭５７−２０５１８号公報が提案されている。該公報のチューブは、アルミ薄板あるいはラミネート樹脂材料から形成された外筒に、ポリプロピレンなどのポリオレフィン系樹脂あるいはポリエステルなどの合成樹脂材料の内筒を吹き込み成形したものである。そして、内筒は、複数に分割されるか、もしくは予め独立したもので、内部に被充填物が充填されている。
【０００６】
このチューブは、分割された内筒を均等に押すことで、被充填物がほぼ等量ずつ一緒にして出すことが可能である。
しかし、このチューブへ染毛剤を封入する場合には、不都合がある。それは、内筒を分けても第１剤と第２剤との性質の違いから腐食してしまうことが考えられる。また、このチューブでは分割された内筒を均等に押せば、被充填物がほぼ等量に出るのであるが、内筒を均等に押すこと自体難しい。
【０００７】
以上のように、従来のチューブ容器では、第１剤と第２剤とを等しく出すことが難しかった。
そこで、本発明は、第１剤と第２剤とを等しく出すことを可能とし、さらに液性の違いから、材質の異なる容器へ別個に封入する必要がある第１剤と第２剤で構成された液剤でも封入可能な２剤式チューブ容器を提供することを目的とする。
【０００８】
【課題を解決するための手段、発明の実施の形態及び発明の効果】
上記の目的を達成するためになされた本発明の請求項１記載の２剤式チューブ容器は、一端が閉じられた筒状の容器本体と、該容器本体の他端に形成され、該容器本体に封入された内容物を排出する排出口を有する筒状の突出部とからなる一対のチューブ容器を備え、各チューブ容器夫々封入された内容物を同時に排出可能な２剤式チューブ容器であって、前記各チューブ容器を、前記容器本体及び前記突出部の断面が半円形状となるよう形成することにより、各チューブ容器の外壁に扁平面を形成し、更に、前記内容物を封入し、一端が閉じられた状態の前記各チューブ容器を扁平面同士が接触するように接合固定する固定手段と、前記各チューブ容器を前記容器本体の閉じられた側より同時に挿入可能で、且つ、前記各チューブ容器から内容物を絞り出しつつ各容器本体に沿って摺動可能な開口を有する環状部材と、を備えたことを特徴とする。
【０００９】
請求項１記載の２剤式チューブ容器は、両チューブ容器を扁平面同士が接触するように扁平面同士を固定手段にて接合固定しているので、一方のチューブ容器の内容物と、他方のチューブ容器の内容物とに合わせて、チューブ容器の材質を各々最適な材質にすることができる。そして、閉じられた側より挿入された摺動自在な環状部材により、確実に両チューブ容器の内容物を等しく押し出すことができる。従って、液性の違いから、材質の異なる容器へ別個に封入する必要がある第１剤と第２剤とで構成された液剤であっても、本２剤式チューブ容器を用いれば、第１剤と第２剤とを等しく押し出すことを容易に行える。
【００１１】
また、請求項１記載の２剤式チューブ容器において、前記固定手段は、前記両チューブ容器の突出部を同時に嵌入可能な筒状の嵌合部材からなる。
請求項１記載の２剤式チューブ容器は、両チューブ容器を扁平面にて接合し、両チューブ容器の突出部を嵌合部材で固定しており、接着しているのではないから、接着が困難な材質でチューブ容器を形成することも可能である。さらに場合によっては、両チューブ容器は接着されていないから、多種のチューブ容器の中から、二つのチューブ容器を選択的に組み合わせるといったことも容易に行うことができる。
【００１２】
請求項２記載の発明は、請求項１記載の２剤式チューブ容器において、前記各チューブ容器には、混合することにより染毛剤として機能する染毛剤第１剤と染毛剤第２剤とが各々封入されていることを特徴とする。
請求項２記載の２剤式チューブ容器は、各チューブ容器を染毛剤第１剤及び染毛剤第２剤に合わせて、最適な材質にすることができるので、従来通り、夫々の液性に対しても耐腐食性を確保可能で、且つ、第１剤と第２剤とを等しく押し出すことができるので、良好な染毛効果を発揮させることが可能である。従って、特に第１剤及び第２剤を等しく取り出すことが要求される染毛剤用の容器として、本２剤式チューブ容器を用いることは好適である。
【００１３】
請求項３記載の発明は、一端が閉じられた筒状の容器本体と、該容器本体の他端に形成され、該容器本体に封入された内容物を排出する排出口を有する筒状の突出部とからなる一対のチューブ容器を備え、各チューブ容器夫々封入された内容物を同時に排出可能な２剤式チューブ容器であって、前記各チューブ容器を、前記容器本体及び前記突出部の断面が半円形状となるよう形成することにより、各チューブ容器の外壁に扁平面を形成し、更に、前記内容物を封入し、一端が閉じられた状態の前記各チューブ容器を扁平面同士が接触するように接合固定する固定手段と、前記各チューブ容器を前記容器本体の閉じられた側より同時に挿入可能で、且つ、前記各チューブ容器から内容物を絞り出しつつ各容器本体に沿って摺動可能な開口を有する環状部材と、を備え、前記各チューブ容器には、混合することにより染毛剤として機能する染毛剤第１剤と染毛剤第２剤とが各々封入されており、前記一対のチューブ容器の内の一方（第１チューブ容器と呼ぶ）は、基材がアルミニウムからなり、その内側に、エポキシフェノール樹脂、エポキシユリア樹脂、エポキシアミノ樹脂、あるいはエポキシアミン樹脂のいずれかで、シングルコート、ダブルコート、あるいはトリプルコートするか、または、ポリエチレンテレフタレート、アルミニウム、ポリエチレンを積層するか、または、ポリエチレン、ナイロン、ポリエチレンを積層した容器本体を備え、他方のチューブ容器（第２チューブ容器と呼ぶ）は、ポリエチレン、エチレン・酢酸ビニル共重合体けん化物、ポリエチレンを積層して形成された容器本体、または、ポリエチレンで形成された容器本体、または、アルミニウムで形成され、内部に、高密度ポリエチレン、低密度ポリエチレン、直鎖状低密度ポリエチレン、エチレン・酢酸ビニル共重合体けん化物、ポリアクリルニトリル、ポリエチレンテレフタレート、ポリプロピレン、ビニール、あるいはナイロンにて形成された内袋を有する容器本体、を備えることを特徴とする。
【００１４】
請求項３記載の２剤式チューブ容器によれば、上記のように形成したことから、第１チューブ容器は、アルカリ性液剤への耐性を十分に備えており、酸化染料及びアルカリ剤を含むアルカリ性の第１剤を収容しても、腐食するおそれもない。また、第２チューブ容器は、酸性液剤への耐性を十分に備えており、過酸化水素を含む酸性の第２剤とを収容しても、腐食するおそれもなく、好適である。
【００１５】
【実施例】
以下に本発明の一実施例を説明する。
図１は、一実施例の２剤式チューブ容器１を示す分解斜視図である。
２剤式チューブ容器１は、染毛剤第１剤（以下、第１剤と呼ぶ）を収容する第１チューブ容器（以下、第１容器と呼ぶ）３と、染毛剤第２剤（以下、第２剤と呼ぶ）を収容する第２チューブ容器（以下、第２容器と呼ぶ）１１と、第１容器３の第１剤及び第２容器１１の第２剤を等しく押し出すため環状の環状部材２１と、第１容器３及び第２容器１１の両容器の蓋となる三角錐形状のキャップ２３と、を備えている。
【００１６】
なお、第１剤は、ｐ−トルイレンジアミン、ｐ−フェニレンジアミン、ｐ−メチルアミノフェノール、４−ニトロ−ｏ−フェニレンジアミン、１−アミノ−４−メチルアントラキノン、ポリオキシエチレン（９）ラウリルエーテル、ポリオキシエチレン（１５）ノニルフェニルエーテル、セチル硫酸ナトリウム、臭化セチルトリメチルアンモニウム、セチルアルコール、ワセリン、ステアリン酸、プロピレングリコール、ヒドロキシエチルセルロースヒドロキシプロピルトリメチルアンモニウムクロリドエーテル、エデト酸二ナトリウム、アスコルビン酸、２８％アンモニア水およびモノエタノールアミン、精製水を成分としており、これらを調製したものである。また、第２剤は、過酸化水素水、フェナセチン、１−ヒドロキシエタン−１，１−ジホスホン酸、１−ヒドロキシエタン−１，１−ジホスホン酸四ナトリウム、セタノール、ジメチルポリシロキサン、ポリオキシエチレンアルキルエーテル、グリセリン、香料、精製水を成分としており、これらを調製したものである。
【００１７】
第１容器３は、一端４ｃが閉じられた筒状の容器本体４と、容器本体４の他端４ｂに形成され、容器本体４に封入された第１剤を排出する排出口９を有する筒状の突出部５からなり、容器本体４及び突出部５は、断面が半円形状となるように形成することにより、容器本体４に扁平面４ａ、突出部５に扁平面５ａを形成している。なお、突出部５において、断面が円弧となる部分の外壁には、後述するキャップ２３の内壁に形成された凸部３０と嵌合する凹部７が形成されている。また、第１容器３は、扁平面４ａ側を上方に向けてみた際に、突出部５の扁平面５ａが後述するキャップ２３の仕切り板２９を挟むために、扁平面４ａよりも低くなるように形成されており、扁平面４ａ及び５ａに段差が作られている。
【００１８】
また、容器本体４は、基材がアルミニウムからなり、内面をエポキシフェノール樹脂、エポキシユリア樹脂、エポキシアミノ樹脂、あるいはエポキシアミン樹脂のいずれかで被覆（シングルコート、ダブルコート、あるいはトリプルコート）したものである。なお、容器本体４は、その他にも、ポリエチレンテレフタレート、アルミニウム、ポリエチレンを積層したものや、または、ポリエチレン、ナイロン、ポリエチレンを積層したもので形成してもよい。
【００１９】
第２容器１１は、一端１２ｃが閉じられた筒状の容器本体１２と、容器本体１２の他端１２ｂに形成され、容器本体１２に封入された第２剤を排出する排出口１７を有する筒状の突出部１３からなり、容器本体１２及び突出部１３は、断面が半円形状となるように形成することにより、容器本体１２に扁平面１２ａ、突出部１３に扁平面１３ａを形成している。なお、突出部１３において、断面が円弧となる部分の外壁には、後述するキャップ２３の内壁に形成された凸部３０と嵌合する凹部１５が形成されている。また、第２容器１１は、扁平面１２ａ側を上方に向けてみた際に、突出部１３の扁平面１３ａが後述するキャップ２３の仕切り板２９を挟むために、扁平面１２ａよりも低くなるように形成されており、扁平面１２ａ及び扁平面１３ａに段差が作られている。
【００２０】
また、容器本体１２は、ポリエチレン、エチレン・酢酸ビニル共重合体けん化物、ポリエチレンを積層したもので形成してある。容器本体１２は、その他にも、ポリエチレンで形成してもよく、さらに、容器本体１２をアルミニウムで形成し、内側に合成樹脂製の内袋を形成して、その内袋へ第２剤を封入してもよい。内袋に用いられる合成樹脂としては、例えば、高密度ポリエチレン、低密度ポリエチレン、直鎖状低密度ポリエチレン、エチレン・酢酸ビニル共重合体けん化物、ポリアクリルニトリル、ポリエチレンテレフタレート、ポリプロピレン、ビニール、ナイロン等や、これらを積層したものを挙げることができる。
【００２１】
環状部材２１は、Ｏ字を縦長にしたように形成され、開口２２は、ちょうど中身を空にした第１容器３及び第２容器１１を接合させた際にできた断面形状を通すことができる大きさに形成されている。
キャップ２３は、図２（ａ）に示すように、第１容器３の突出部５及び第２容器１１の突出部１３を一緒に接合できるように形成された筒状のキャップ本体２５と、キャップ本体２５に取り付けられるオーバーキャップ２７と、で構成されている。
【００２２】
キャップ本体２５は先細りの筒状に形成され、内部を完全に二つに分ける仕切り板２９と、内壁に第１容器３の凹部７及び第２容器１１の凹部１５と係合する一組の凸部３０と、オーバーキャップ２７を取り付けるためのネジ部３１（ネジ部の切り込みは略す）と、が形成されている。
【００２３】
オーバーキャップ２７は、ほぼ三角錐状に形成され、内部に形成されたネジ部３３（ネジ部の切り込みは略す）を介してキャップ本体２５のネジ部３１に取り付けられる。
このような構成の２剤式チューブ容器１は、次のようにして組み立てられる。
【００２４】
まず、第１容器３の扁平面４ａと第２容器１１の扁平面１２ａとを一致させる。
次に、キャップ２３を突出部５及び１３へはめる。キャップ２３をはめるに当たっては、突出部５の扁平面５ａと突出部１３の扁平面１３ａとの間にできた隙間に、キャップ２３の仕切り板２９を挿入し、突出部５の凹部７及び突出部１３の凹部１５と、キャップ２３の一組の凸部３０をはめ合わせることで行う。このようにはめ合わせると、キャップ２３の仕切り板２９及び凸部３０が突出部５及び１３を挟み込む。
【００２５】
次に、環状部材２１を、一端４ｃ及び１２ｃより挿入する。環状部材２１は摺動可能でありながら、一端４ｃ及び１２ｃを係止する。
こうして、第１容器３及び第２容器１１は、キャップ２３及び環状部材２１により固定され、組立が完了する。
【００２６】
次に、実施例の２剤式チューブ容器１の取り扱い方を図２（ｂ）を参照しながら説明する。
まず、キャップ本体２５に取り付けられているオーバーキャップ２７を矢印Ｄに示すように取り外す。
【００２７】
次に、環状部材２１を、矢印Ｅに示す排出口９及び１７方向へ、第１容器３及び第２容器１１に沿うように摺動させることで、第１容器３の第１剤及び第２容器１１の第２剤が点線Ｆに示すように等しく排出口９及び１７から絞り出される。このように、環状部材２１は、第１容器３及び第２容器１１を係止しながらも、第１剤及び第２剤を等しく絞り出すことを可能とする。
【００２８】
以上、説明した一実施例の２剤式チューブ容器１によれば、第１容器３及び第２容器１１を第１剤及び第２剤に合わせて、最適な材質にすることができるので、従来通り、夫々の液性に対しても耐腐食性を確保可能で、且つ、第１剤と第２剤とを等しく押し出すことができるので、良好な染毛効果を発揮させることが可能である。従って、特に第１剤及び第２剤を等しく取り出すことが要求される染毛剤用の容器として、本２剤式チューブ容器１を用いることは好適である。
【００２９】
また、第１容器３及び第２容器１１を、上記のように形成したことから、第１容器３は、アルカリ性液剤への耐性を十分に備えており、酸化染料及びアルカリ剤を含むアルカリ性の第１剤を収容しても、腐食するおそれもない。また、第２容器１１は、酸性液剤への耐性を十分に備えており、過酸化水素を含む酸性の第２剤とを収容しても、腐食するおそれもなく、好適である。
【００３０】
ここで、本実施例と請求項との対応についてまとめると、キャップ２３は、嵌合部材に相当する。
以上、本発明の一実施例を説明したが、本発明は、上記実施例に限定されるものではなく、さらに種々なる態様において実施してもよいことは勿論である。
【００３２】
また、染毛剤に含まれる染料を除いた場合は、毛髪脱色剤として使用することができ、このような染毛剤の一種である毛髪脱色剤を収容するために２剤式チューブ容器１を用いてもよい。
【図面の簡単な説明】
【図１】  実施例の２剤式チューブ容器１を示す分解斜視図である。
【図２】  実施例の２剤式チューブ容器１を示し、（ａ）はキャップ２３の斜視図、（ｂ）は２剤式チューブ容器１の取り扱い方を示す説明図である。
【符号の説明】
１…２剤式チューブ容器、  ３…第１容器、  １１…第２容器、
４，１２…容器本体、  ４ａ，１２ａ…扁平面、５，１３…突出部、
５ａ，１３ａ…扁平面、  ９，１７…排出口、２１…環状部材、  ２２…開口、２３…キャップ。
【図１】
0004106110.tif 000002
【図２】
0004106110.tif 000003